(57)【要約】 【課題】床、スラブ等、設置面への固定が容易な樹脂製ＣＤ管を提供する。【解決手段】樹脂製ＣＤ管１は中空筒状の断面小判形状に構成され、管外周面に凸部２ａと凹部２ｂが交互に形成されている。凸部２ａは一定幅（ｄ）に形成されているが、所定の間隔でこれより幅広ｄ’（ｄ'＞ｄ）の凸部（以下、幅広凸部２ｃ）が配列されている。幅広凸部２ｃの底面２ｄ側の両端には、床固定部３が管外縁２ｆより突出して設けられている。床固定部３にはビス取付孔４が設けられており、取付ビス８により床面９に固定させることができる。【選択図】図１（ａ）
2013036531.tif 000002
【特許請求の範囲】
【請求項１】
管外周面に凸部と凹部が交互に形成され、可撓性を有する樹脂製ＣＤ管であって、
一部の該凸部は、ビス取付孔を有する床固定部を備えて成ることを特徴とする樹脂製ＣＤ管。
【請求項２】
前記床固定部を本体底面側の端部に突出させて形成し、かつ、床面に密接設置可能に構成したことを特徴とする請求項１に記載の樹脂製ＣＤ管。
【請求項３】
前記床固定部を、本体底面側の左右両端部に備えたことを特徴とする請求項１又は２に記載の樹脂製ＣＤ管。
【請求項４】
前記床固定部を、本体底面側の片側端部に左右交互に備えたことを特徴とする請求項１又は２に記載の樹脂製ＣＤ管。
【請求項５】
前記床固定部を本体上面側にも備え、かつ、底面側と上面側交互に備えたことを特徴とする請求項３又は４に記載の樹脂製ＣＤ管。
【請求項６】
前記樹脂製ＣＤ管は、前記床固定部を有する第一ユニットと、前記床固定部を有さない第二ユニットと、を備え、かつ、第一ユニットと第二ユニットとを嵌合可能に構成したことを特徴とする請求項１乃至５のいずれかに記載の樹脂製ＣＤ管。
【請求項７】
前記ビス取付孔は、取付用ビスを側面から嵌入可能とする開放部を備えたことを特徴とする請求項１乃至６のいずれかに記載の樹脂製ＣＤ管。
【請求項８】
前記床固定部の平面形状を、緩やかな裾野を有する山形形状に構成したことを特徴とする請求項１乃至７のいずれかに記載の樹脂製ＣＤ管。
【請求項９】
前記樹脂製ＣＤ管は、硬質樹脂を用いた内層と、柔軟性を有する軟質樹脂を用いた外層と、の２層構造としたことを特徴とする請求項１に乃至８のいずれかに記載の樹脂製ＣＤ管。
【発明の詳細な説明】
【技術分野】
【０００１】
本発明はＣＤ管に関し、特に床、スラブ等、設置面への固定が容易な樹脂製ＣＤ管に関する。
【背景技術】
【０００２】
管外周面に凸部と凹部を交互に形成して可撓性を向上させた樹脂製ＣＤ管（コンジット管）が、給湯・暖房配管等の鞘管として広く用いられている。従来、樹脂製ＣＤ管の床面等への設置に関しては、ＣＤ管を設置面に敷設した後、所定の間隔で固定具（サドルバンド）を床面にビス固定する方式が一般的である。
さらに、天井等にも容易取付可能な固定具として、例えば特許文献１の技術が提案されている。同文献による固定方法１００は、図８に示すように建物の天井１０５と壁１０６に沿って所定の間隙で鋼製のガイド棒１０１を敷設し、支持具１０２で固定する。ガイド棒１０１には長手方向に沿って断続的にクランプ１０３が取り付けられており、クランプ１０３に給水管等１０４を固定する。
【先行技術文献】
【特許文献】
【０００３】
【特許文献１】特開平８−１８９５８１号公報
【発明の開示】
【発明が解決しようとする課題】
【０００４】
しかしながら、ＣＤ管の形状、サイズは用途に応じて区々であるため、これに対応するため固定具として多種類のサドル・部材を用意する必要があり、施工コストのアップ要因となっている。
【課題を解決するための手段】
【０００５】
本発明は施工が容易で、かつ、施工コストの低減化が可能な樹脂製ＣＤ管を提供することを目的とする。
本発明は、以下の内容をその要旨とする。すなわち、本発明に係る樹脂製ＣＤ管は、
（１）管外周面に凸部と凹部が交互に形成され、可撓性を有する樹脂製ＣＤ管であって、一部の該凸部は、ビス取付孔を有する床固定部を備えて成ることを特徴とする。
本発明において（以下の各発明についても同様）、「床」又は「床面」とはＣＤ管の設置面を意味し、壁面、天井面を含む概念である。
【０００６】
（２）上記発明において、前記床固定部を本体底面側の端部に突出させて形成し、かつ、床面に密接設置可能に構成したことを特徴とする。
【０００７】
（３）上記各発明において、前記床固定部を、本体底面側の左右両端部に備えたことを特徴とする。
【０００８】
（４）上記各発明において、床固定部を、本体底面側の片側端部に左右交互に備えたことを特徴とする。
【０００９】
（５）上記各発明において、前記床固定部を本体上面側にも備え、かつ、底面側と上面側交互に備えたことを特徴とする。
【００１０】
（６）上記各発明において、前記樹脂製ＣＤ管は、前記床固定部を有する第一ユニットと、前記床固定部を有さない第二ユニットと、を備え、かつ、第一ユニットと第二ユニットとを嵌合可能に構成したことを特徴とする。
【００１１】
（７）上記各発明において、前記ビス取付孔は、取付用ビスを側面から嵌入可能とする開放部を備えたことを特徴とする。
【００１２】
（８）上記各発明において、前記床固定部の平面形状を、緩やかな裾野を有する山形形状に構成したことを特徴とする請求項１乃至７のいずれかに記載の樹脂製ＣＤ管。
【００１３】
（９）上記各発明において、前記樹脂製ＣＤ管は、硬質樹脂を用いた内層と、柔軟性を有する軟質樹脂を用いた外層と、の２層構造としたことを特徴とする。
【発明の効果】
【００１４】
本発明によれば、ＣＤ管の施工に際して床面への固定具として多種類のサドル・部材を準備する必要がなくなるため、施工コストダウン、施工時間短縮が実現できるという効果がある。
【図面の簡単な説明】
【００１５】
【図１（ａ）】第一の実施形態に係る樹脂製ＣＤ管１の平面構成を示す図である。
【図１（ｂ）】ＣＤ管１の断面構成を示す図（図１のＡ−Ａ'矢視図）である。
【図１（ｃ）】樹脂製ＣＤ管１の床面固定の態様を示す図である。
【図２（ａ）】第二の実施形態に係る樹脂製ＣＤ管２０の平面構成を示す図である。
【図２（ｂ）】ＣＤ管２０の断面構成を示す図（図１のＢ−Ｂ'矢視図）である。
【図３】第三の実施形態に係るＣＤ管３０の床固定部近傍の構成を示す図である。
【図４】第四の実施形態に係るＣＤ管４０の床固定部近傍の構成を示す図である。
【図５】第五の実施形態に係るＣＤ管５０の床固定部近傍の構成を示す図である。
【図６】第六の実施形態に係るＣＤ管６０の断面構成を示す図である。
【図７】第七の実施形態に係るＣＤ管７０の断面構成を示す図である。
【図８】従来のＣＤ管１００の配管施工態様を示す図である。
【発明を実施するための形態】
【００１６】
以下、本発明に係る樹脂製ＣＤ管の実施形態について、図１乃至７を参照してさらに詳細に説明する。重複を避けるため、各図において同一構成には同一符号を用いて示している。なお、本発明の範囲は特許請求の範囲記載のものであって、以下の実施形態に限定されないことはいうまでもない。
【００１７】
（第一の実施形態）
図１（ａ）乃至１（ｃ）を参照して、樹脂製ＣＤ管１は中空筒状の断面小判形状に構成され、管外周面に凸部２ａと凹部２ｂが交互に形成されている。ＣＤ管１は、このような構造（コルゲート構造）により可撓性が向上し、施工時において現場の状況に合わせて湾曲配置容易に構成されている。ＣＤ管の樹脂材質としては、例えば高密度（硬質）ポリエチレンを用いることができる。
凸部２ａは一定幅（ｄ）に形成されているが、所定の間隔でこれより幅広ｄ’（ｄ'＞ｄ）の凸部（以下、幅広凸部２ｃ）が配列されている。幅広凸部は、従来から配管長の目安、材料印字部等を目的として、一定間隔（例えば1ｍ）で設けられていることが多く、本実施形態ではこの部分を床固定部として利用するものである。
【００１８】
幅広凸部２ｃの底面２ｄ側の両端には、床固定部３が管外縁２ｆより突出して設けられている。床固定部３にはビス取付孔４が設けられており、取付ビス８により床面９に固定させることができる。床固定部３の外縁は半円形状に形成されている。
【００１９】
次に、図１（ｃ）を参照して、ＣＤ管１を暖房用配管６の鞘管として用いる場合の設置態様について説明する。ＣＤ管１の中空部２ｅに、予め又は施工時に暖房用配管６を挿通する。暖房用配管６は、架橋ポリエチレン材質の一対の温水ペアチューブ６ｂをアルミテープ６ａで巻きつけ束ね、その外側に信号線６ｃを配線して構成されている。なお、信号線の本数、配線位置については熱源機、コントローラの種類等に応じて、種々のタイプがある。
設置に際しては、ＣＤ管１の底面２ｄ及び床固定部３を床面９に密接させて載置後、ワッシャー８ａを介在させてビス取付孔４に取付ビス８を挿通し、床面９に固定する。
この場合、必ずしも全ての床固定部３を用いて固定する必要はなく、設置後に蛇行等の支障が生じない範囲で状況（直線部、曲線部等）に応じた対応をとることができる。以下の実施形態においても同様である。
【００２０】
なお、本実施形態では幅広凸部２ｃに床固定部３を設ける例を示したが、これに限らず通常の凸部２ａに床固定部３を設ける態様とすることもできる。
【００２１】
また、本実施形態では凸部がリング状に形成されるコルゲート構造の例を示したが、これに限らず凸部が螺旋状に形成される構造とすることもできる。以下の実施形態においても同様である。
【００２２】
また、本実施形態では断面小判形状のＣＤ管に床固定部を設ける例を示したが、断面円形のＣＤ管に床固定部を設ける態様とすることもできる。以下の実施形態においても同様である。
【００２３】
（第二の実施形態）
次に図２（ａ）、図２（ｂ）を参照して、本発明の他の実施形態について説明する。本実施形態に係るＣＤ管２０が上述のＣＤ管１と異なる点は、床固定部の構成である。すなわち、ＣＤ管１では幅広凸部２ｃの底面両端に床固定部３が設けられているのに対して、ＣＤ管２０では底面２ｄの片側、かつ、図２（ｂ）において左右（図２（ａ）において上下）交互に床固定部２１，２２が設けられている。その他の構成については上述の実施形態と同様であるので、重複説明を省略する。また、暖房用配管等の挿通、取付ビスによる床面への固定についても同様であるので、重複説明を省略する。
以上の構成により、ＣＤ管２０はＣＤ管１と比較して床面固定箇所を１／２に減らすことができ、ビス使用数の減少、施工作業効率等のさらなる向上が可能となる。
【００２４】
（第三の実施形態）
次に図３を参照して、本発明の他の実施形態について説明する。本実施形態に係るＣＤ管３０が上述のＣＤ管２０と異なる点は、ビス取付孔の構成である。すなわち、ＣＤ管２０ではビス取付孔４は丸孔形状に構成されているのに対して、ＣＤ管３０の床固定部３１に設けられているビス取付孔３２は、側面から嵌入可能とするように開口部３２ａが設けられている。その他の構成については上述の実施形態と同一であるので、重複説明を省略する。
掛かる構成により、ＣＤ管３０では開口部３２ａにより、例えば上側からビスを差し込むことが困難な狭所での施工自由度が増して、作業効率の向上に資する。
【００２５】
（第四の実施形態）
次に図４を参照して、本発明の他の実施形態について説明する。本実施形態に係るＣＤ管４０が上述のＣＤ管２０等と異なる点は、幅広凸部の幅長さである。すなわち、ＣＤ管４０の幅広凸部４１の幅ｄ”は、ＣＤ管２０の幅広凸部２ｃの幅ｄ’と比較してさらに広く構成されている。これに伴い床固定部４２の根元部分についてもより幅広に構成され、ＣＤ管２０等では半円形状であるのに対して、ＣＤ管４０の床固定部４２では緩やかな裾野を有する山形形状に構成されている。その他の構成及び床面への固定方法については上述の実施形態と同一であるので、重複説明を省略する。
ＣＤ管４０は上記構成により、床固定部の強度をより高くすることができ、施工後の安定性がより向上する。
【００２６】
なお、本実施形態では床固定部４２を片側端部に備えた例を示したが、両端部に床固定部４２を片側端部に備える態様とすることもできる。以下の該当する実施形態についても同様である。
【００２７】
（第五の実施形態）
次に図５を参照して、本発明の他の実施形態について説明する。本実施形態に係るＣＤ管５０が上述のＣＤ管４０と異なる点は、ビス取付孔の構成である。
すなわち、ＣＤ管４０ではビス取付孔４は丸孔形状に設けられているのに対して、ＣＤ管５０のビス取付孔５３についてはＣＤ管４０と同様に側面に開放部５３ａが設けられている。その他の構成については上述の各実施形態と同一であるので、重複説明を省略する。
ＣＤ管５０は上記構成により、ＣＤ管４０と同様に床固定部５２の強度を高めつつ、さらに施工時において上側からビスを差し込むことが困難な狭い場所での施工等に際して自由度が増し、作業効率の向上に資する。
【００２８】
（第六の実施形態）
さらに図６を参照して、本発明の他の実施形態について説明する。本実施形態に係るＣＤ管６０が上述の各ＣＤ管と異なる点は、管長である。すなわち、ＣＤ管１等では１本の長尺管により構成され、凸部２ａに所定の間隔で床固定部２ａが設けられている。
これに対して本実施形態のＣＤ管６０では、比較的短い２種類のユニットＣＤ管（床固定部付ユニットＣＤ管６１及び床固定部なしユニットＣＤ管６２）の組み合わせにより構成されている。両ユニットの端部にはそれぞれ嵌合接続機構６１ａ、６２ａが設けられており、必要に応じて適宜、嵌合接続することにより所望の管長に調整可能に構成されている。なお、ユニットＣＤ管６１とユニットＣＤ管６２は必ずしも交互に接続させることなく、床固定の必要な箇所に床固定部付ユニットＣＤ管６１を配置するように組み合わせれば足りる。
【００２９】
（第七の実施形態）
さらに本発明の他の実施形態について説明する。図７を参照して、本実施形態に係るＣＤ管７０が上述の各ＣＤ管と異なる点は、樹脂材質及び層構成である。すなわち、上述の各ＣＤ管では一体として硬質樹脂（例えば硬質ポリエチレン）により構成されている。これに対して本実施形態のＣＤ管７０は２層構造であり、内層７１はＣＤ管１等と同じく硬質ポリエチレン、外層７２及び床固定部７３は軟質樹脂、例えばシリコンゴム等により構成されている。その他の構成については上述の実施形態と同一であるので、重複説明を省略する。
ＣＤ管７０は床固定部７３に軟質樹脂材質を用いたことにより狭い場所にも配管容易であり、施工自由度が増して作業効率の向上に資する。
【産業上の利用可能性】
【００３０】
本発明は温水暖房用鞘管としてのみならず、給湯用配管、電線用鞘管等に広く適用可能である。
【符号の説明】
【００３１】
１、２０、３０、４０、５０、６０、７０・・・樹脂製ＣＤ管
２ａ・・・凸部
２ｂ・・・凹部
２ｃ、４１、５１・・・幅広凸部
２ｄ・・・中空部
３，２１，２２、３１、４２、５２、７３・・・・床固定部
４、３２，４３、５３・・・・ビス取付孔
６１ａ、６２ａ・・・・嵌合接続機構
【図１（ａ）】
2013036531.tif 000003
【図１（ｂ）】
2013036531.tif 000004
【図１（ｃ）】
2013036531.tif 000005
【図２（ａ）】
2013036531.tif 000006
【図２（ｂ）】
2013036531.tif 000007
【図３】
2013036531.tif 000008
【図４】
2013036531.tif 000009
【図５】
2013036531.tif 000010
【図６】
2013036531.tif 000011
【図７】
2013036531.tif 000012
【図８】
2013036531.tif 000013